(57)【要約】【課題】  ディスクトレイの退出動作を停止させるときに発生する衝突音を軽減させる。【解決手段】  駆動力を受けてシャーシ１０に対し出し入れされることによりディスクの給排を行うディスクトレイ２０と、このディスクトレイ２０のガイド手段３０と、ディスクトレイ２０の退出動作を停止させるストッパ手段４０とを有する。ストッパ手段４０の係合面４２をディスクトレイ２０側に設けた凸部４１の端面によって形成し、ストッパ手段４０の受面４４を、シャーシ１０に設けた突出部４３の端面によって形成する。突出部４３にＵ字形状の樹脂ばね片５０を追加し、樹脂ばね片５０の自由端の外面を当り面５１として、その当り面５１を受面４４と置き換えてある。【選択図】        図２
2008210437.tif 000002
【特許請求の範囲】
【請求項１】
構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合面及びこの係合面を受け止めて上記ディスクトレイの退出動作を停止させる受面を備えるストッパ手段と、を有するディスク装置において、
上記ストッパ手段の係合面が上記ディスクトレイに樹脂で一体成形された凸部の端面によって形成され、かつ、上記ストッパ手段の受面が、上記シャーシに樹脂で一体成形されてそのシャーシから片持ち状に突出された突出部の端面によって形成されていると共に、一端が上記突出部に連設されて他端が自由端とされたＵ字形状の樹脂ばね片を追加してあり、その樹脂ばね片の他端によって形成されている自由端の外面を当り面としてその当り面を上記受面と置き換えてあると共に、上記ストッパ手段と樹脂ばね片とが、ディスクトレイの進入退出経路を挟む両側に対称に配備されていることを特徴とするディスク装置。
【請求項２】
構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合面及びこの係合面を受け止めて上記ディスクトレイの退出動作を停止させる受面とを備えるストッパ手段と、を有するディスク装置において、
一端が上記シャーシ及び上記ディスクトレイのうちの一方側に連設されて他端が自由端とされたＵ字形状の樹脂ばね片を追加してあり、その樹脂ばね片の他端によって形成されている自由端の外面を当り面として、その当り面を上記受面又は係合面のいずれかと置き換えたことを特徴とするディスク装置。
【請求項３】
上記樹脂ばね片の一端が上記シャーシ側に連設されていて、その樹脂ばね片の自由端の外面によって形成されている上記当り面を上記受面と置き換えてある請求項２に記載したディスク装置。
【請求項４】
上記ストッパ手段の係合面が上記ディスクトレイに樹脂で一体成形された凸部の端面によって形成され、かつ、上記ストッパ手段の受面が、上記シャーシに樹脂で一体成形されてそのシャーシから片持ち状に突出された突出部の端面によって形成されていると共に、上記樹脂ばね片の一端が上記突出部に連設されている請求項３に記載したディスク装置。
【発明の詳細な説明】
【技術分野】
【０００１】
本発明は、ディスク装置、特に、ディスクの給排を行うディスクトレイの退出動作を停止させる方法として、ストッパ手段を形成している係合面をその受面に衝突させるという手段を採用しているディスク装置に関する。
【背景技術】
【０００２】
ディスクの記録面を光ピックアップにより光学的に処理してデータの書込みや読取りを行うためのディスク装置において、ディスクを処理位置に搬入したり処理位置から搬出したりするときに、モータによる駆動力を受けて進入退出動作するディスクトレイを利用するものは従来より周知である。また、ディスクトレイの進入動作や退出動作を停止させるためのストッパ手段として、ディスクトレイ側に設けられた係合面と、その係合面を受け止めさせる受面との組み合わせを採用したものも従来より周知である。
【０００３】
図３は従来のディスク装置の概略構成を示した平面図であり、図４は図３のＩＶ部を拡大した平面図である。図５は後述する突出部４３の形状を示した斜視図である。
【０００４】
図３のように、このディスク装置は、シャーシ１０と、駆動力を受けてシャーシ１０に対し出し入れされることによりディスク（不図示）の給排を行うディスクトレイ２０と、このディスクトレイ２０を案内してシャーシ１０に対するディスクトレイ２０の進入退出経路を形成するガイド手段３０と、ディスクトレイ２０の退出動作を停止させる作用を行うストッパ手段４０とを備えている。
【０００５】
シャーシ１０は当該ディスク装置の構体としての役割を果たしていて、図示していない光ピックアップやターンテーブル、ディスクトレイ２０の進入動作や退出動作の駆動源としてのモータなどが組み付けられている。そして、シャーシ１０に組み付けられているモータの回転軸に固着された駆動歯車１２の正方向又は逆方向の回転が、ディスクトレイ２０の裏面側に樹脂で一体成形されてその駆動歯車１２に噛み合っているまっすぐなラック１３を経てディスクトレイ２０の進入方向Ｘ又は退出方向Ｙの直線移動に変換されるようになっている。
【０００６】
シャーシ１０に出し入れされるディスクトレイ２０には、サイズの異なる２種類のディスクが載架される凹入状に形成されたディスク載置スペースＳ１，Ｓ２が区画形成されているほか、シャーシ１０に進入してディスクをローディングしたときに上記光ピックアップをディスクに臨ませるための開口Ｗが備わっている。
【０００７】
図６にガイド手段３０を概略垂直断面図で示してある。このガイド手段３０は、シャーシ１０側に設けられた所要数の突起３１と、ディスクトレイ２０の裏面側に形成されて上記突起３１が摺動自在に係合されたまっすぐなガイド溝３２とを備えているほか、ディスクトレイ２０の進入動作及び退出動作に際してガイド溝３２と突起３１との共働による案内作用を補助するためのシャーシ１０側の補助突起３３と、この補助突起３２の頂面を摺動するまっすぐな摺動面３４とを備えている。そして、このガイド手段３０によってディスクトレイ２０の進入退出経路が形成されるようになっている。
【０００８】
図４に拡大して示したストッパ手段４０は、ディスクトレイ２０の退出動作を停止させる機能を備えている。具体的には、ディスクトレイ２０に樹脂で一体成形された凸部４１の端面によって形成された係合面４２と、シャーシ１０側に樹脂で一体成形された突出部４３の端面によって形成された受面４４とを備えていて、突出部４３は、シャーシ１０から片持ち状に突出している。そして、ディスクトレイ２０が矢印Ｙのように退出してきたときに、図４のように係合面４２が受面４４に係合することによってそのディスクトレイ２０の退出動作を定位置で停止させることができるようになっている。
【０００９】
図３〜図６を参照して説明したディスク装置では、ディスクトレイ２０が矢印Ｙのように退出動作を行ったときに、ディスクトレイ２０側の凸部４１に備わっている係合面４２がシャーシ１０から片持ち状に突出している突出部４３に備わっている受面４４に衝突して係合する。そのため、係合面４２に受面４４が衝突したときに発生する衝突音が、ユーザにとって耳障りな音となって不快感を生じるおそれがある。
【００１０】
そこで、上記したような衝突音を発しにくくするための対策の講じられたストッパ手段を備えるディスク装置が提案されている（たとえば、特許文献１参照）。このディスク装置に採用されているストッパ手段４０の構成を図７に示してある。同図のストッパ手段４０は、ディスクトレイ２０に設けた突起片２１にＶ形をなす２つの傾斜面２２，２３を形成してある一方で、シャーシ（不図示）設けたストッパ板１４に弾性を付与しておき、ディスクトレイ２０が矢印Ｙのように退出してきたときに、ストッパ板１４の先端が、Ｖ形の２つの傾斜面２２，２３の間に嵌まり込んで弾性変位しながら突起片２１の片側の傾斜面２２と擦れた後に突起片２１に突き当たってディスクトレイ２０を停止させるように構成されている。そして、この特許文献１には、ストッパ手段を上記のように構成しておくことによって、ディスクトレイ２０を駆動するギヤに掛かる負荷が低減されるとも記載されている。
【特許文献１】特開２００５−３４６８０５号公報（図２）
【発明の開示】
【発明が解決しようとする課題】
【００１１】
特許文献１によって提案されている衝突音軽減対策は、上記から明らかなように、ディスクトレイ側の突起片２１に２つの傾斜面２２，２３をＶ形に形成しておくのに対し、シャーシ１０側にストッパ板１４を形成しておき、ディスクトレイ２０が退出動作を行ったときに、ストッパ板１４の先端が、Ｖ形の２つの傾斜面２２，２３の間に嵌まり込んで突起片２１の片側の傾斜面２２に擦れさせた後に突起片２１に突き当たらせるというものである。
【００１２】
ところで、ディスク装置に採用されるストッパ手段は、それ自体の外形が大きいと装置全体が大形化してしまうために、可及的小さくコンパクトに構成することが望まれる。そのため、特許文献１によって提案されている図７のストッパ手段４０においても、突起片２１やストッパ板１４も可及的小さくコンパクトな形になっていることが望ましい。
【００１３】
しかしながら、図６を参照して説明したように、ディスクトレイ２０の進入退出経路を形成しているガイド手段３０には、その突起３１とガイド溝３２との間に不可避的な隙間が存在し、その隙間が遊びとして作用するために、ディスクトレイ２０は退出動作するときに横触れを起こしていることが多々ある。そのため、上掲の特許文献１のストッパ手段４０を上記のように可及的小さくコンパクトな形に構成すると、突起片２１のＶ形の２つの傾斜面２２，２３に形成されている受入口２１ａがきわめて狭くなるために、ディスクトレイ２０が退出動作してきたときにそのディスクトレイ２０の横触れによってストッパ板１４の先端がその受入口２１ａに嵌まり込みにくく、ストッパ板１４の先端が受入口２１ａに嵌まり込まない状況が生じたり、嵌まり込んだとしても、ストッパ板１４の先端が片側の傾斜面２２と適切に擦れ合わないといった状況の生じるおそれがある。言い換えると、特許文献１のストッパ手段４０を採用したディスク装置では、そのストッパ手段４０の小形化コンパクト化を図ると、ディスクトレイ２０の退出動作を停止させるときの動作信頼性が低下するおそれがあるという問題があった。
【００１４】
本発明は、以上の状況に鑑みてなされたものであり、ストッパ手段を可及的小さくコンパクトな形に構成することが可能であり、ストッパ手段を可及的小さくコンパクトな形に構成したとしてもその動作信頼性に優れ、しかも、ディスクトレイの退出動作が停止するときの衝突音を効果的に軽減することのできるディスク装置を提供することを目的とする。
【課題を解決するための手段】
【００１５】
本発明に係るディスク装置は、構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合面及びこの係合面を受け止めて上記ディスクトレイの退出動作を停止させる受面とを備えるストッパ手段と、を有する。そして、一端が上記シャーシ及び上記ディスクトレイのうちの一方側に連設されて他端が自由端とされたＵ字形状の樹脂ばね片を追加してあり、その樹脂ばね片の他端によって形成されている自由端の外面を当り面として、その当り面を上記受面又は係合面のいずれかと置き換えてある。
【００１６】
この発明によれば、ディスクトレイの退出動作を通じて係合面が受面に受け止められることによって、ディスクトレイの退出動作が停止する。この場合、受面又は係合面のいずれかが、樹脂ばね片の自由端の外面によって形成されている当り面と置き換えられていることにより、樹脂ばね片の当り面が受面又は係合面として作用する。したがって、ディスクトレイの退出動作が停止するときは、受面又は係合面として作用する樹脂ばね片の当り面とその相手方面としての係合面又は受面との衝突に伴う衝撃が樹脂ばね片の撓み変形により吸収されて衝突音も軽減される。また、樹脂ばね片の当り面の幅を変化させてその面積を減少させることも容易であるので、そのようにすることによっていっそう衝突音を軽減することが可能になる。
【００１７】
しかも、受面又は係合面として作用する樹脂ばね片の当り面は、その相手方面としての係合面又は受面を、ディスクトレイの退出動作時に受け止める機能を有しておりさえすればよいので、ディスクトレイが退出動作時に多少の横触れを起こしたとしても、ディスクトレイの退出動作を停止させる機能が確実に発揮される。したがって、図７を参照して説明したもののように、Ｖ形をなす２つの傾斜面２２，２３の間にストッパ板１４の先端が嵌まり込まなくなったり、片側の傾斜面２２に適切に擦れ合わなくなったりすることによって動作信頼性が低下するという事態が起こらない。
【００１８】
また、ディスクトレイの退出動作が停止するときには、樹脂ばね片が撓むことによってディスクトレイが減速しつつ停止することになり、そのことがディスクトレイの動作品位を高めることにも役立つ。
【００１９】
本発明では、樹脂ばね片の当り面を上記した係合面と受面とのうちのいずれと置き換えることも可能である。したがって、本発明では、上記樹脂ばね片の一端が上記シャーシ側に連設されていて、その樹脂ばね片の自由端の外面によって形成されている上記当り面を上記受面と置き換えてある、という構成を採用することが可能である。
【００２０】
また、本発明では、上記ストッパ手段の係合面が上記ディスクトレイに樹脂で一体成形された凸部の端面によって形成され、かつ、上記ストッパ手段の受面が、上記シャーシに樹脂で一体成形されてそのシャーシから片持ち状に突出された突出部の端面によって形成されていると共に、上記樹脂ばね片の一端が上記突出部に連設されている、という構成を採用することが可能である。この構成は、図５に示した形状の突出部４３に樹脂ばね片の一端を連設させた事例に相当するので、図３又は図４を参照して説明したディスク装置について、その突出部４３と共に樹脂ばね片を一体成形するだけで済むという利点がある。
【００２１】
本発明に係るディスク装置は、構体としてのシャーシと、駆動力を受けて上記シャーシに対し出し入れされることによりディスクの給排を行うディスクトレイと、このディスクトレイを案内してシャーシに対するディスクトレイの進入退出経路を形成するガイド手段と、上記ディスクトレイ側の係合面及びこの係合面を受け止めて上記ディスクトレイの退出動作を停止させる受面を備えるストッパ手段と、を有するディスク装置において、上記ストッパ手段の係合面が上記ディスクトレイに樹脂で一体成形された凸部の端面によって形成され、かつ、上記ストッパ手段の受面が、上記シャーシに樹脂で一体成形されてそのシャーシから片持ち状に突出された突出部の端面によって形成されていると共に、一端が上記突出部に連設されて他端が自由端とされたＵ字形状の樹脂ばね片を追加してあり、その樹脂ばね片の他端によって形成されている自由端の外面を当り面としてその当り面を上記受面と置き換えてあると共に、上記ストッパ手段と樹脂ばね片とが、ディスクトレイの進入退出経路を挟む両側に対称に配備されている、という構成を採用することによっていっそう具体化される。この発明の作用などについては後述する実施形態を実施形態を参照して詳細に説明する。
【発明の効果】
【００２２】
以上のように、本発明によれば、ディスクトレイがその退出動作時に横触れを起こした場合であっても、ストッパ手段ないし樹脂ばね片の作用によってディスクトレイの退出動作が確実に停止するようになるので、ストッパ手段の動作信頼性が向上する。また、ディスクトレイの退出動作が停止するときには樹脂ばね片が撓んで衝突の衝撃を緩和し、衝突音も軽減される。そして、この効果は、ストッパ手段を可及的小さくコンパクトな形に構成した場合にも確実に奏されるという利点がある。
【００２３】
また、樹脂ばね片は、シャーシ及びディスクトレイのうちの一方側に連設されているので、別部品を用いずに上記効果が奏されるようになり、そのことが、組立工数の増加を回避して量産性の低下を防ぐことに役立つだけでなく、コストアップを回避することにも役立つ。さらに、ディスクトレイの退出動作が停止する直前のタイミングで、ディスクトレイの動作速度を漸減させる機能を備えていることにより、ディスクトレイの動作品位を高めやすくなるという効果も奏される。
【発明を実施するための最良の形態】
【００２４】
図１は本発明の実施形態に係るディスク装置の要部の概略斜視図、図２は動作説明図である。図１において、４３は上記した突出部を示していて、この実施形態では、その突出部４３の先端に一体にＵ字形状の樹脂ばね片５０を追加してある。その他の事項は、図３、図４又は図６を参照して説明したところと同様であるので、以下では、説明の重複を回避するために当該ディスク装置の全体構成についての詳細説明を省略する。なお、この実施形態では、ストッパ手段４０と後述する樹脂ばね片５０とが、ディスクトレイの進入退出経路を挟む両側に対称に配備されている。
【００２５】
上記樹脂ばね片５０は、その一端が突出部４３に連設されているのに対し、その他端を自由端として突出部４３の手前側に間隔を隔てて位置させている。そして、突出部４３の端面によって形成される受面４４を、樹脂ばね片５０の他端によって形成されている自由端の外面でなる当り面５１によって置き換えた構成になっている。その他の構成は、図３、図４又は図６を参照して説明したところと同様である。このため、樹脂ばね片５０の自由端の外面によって形成されている当り面５１が、図３、図４又は図６を参照して説明した突出部４３の端面によって形成されている受面４４の代用として作用する。したがって、図２に示したように、ディスクトレイ２０が矢印Ｙのように後退動作してきたときには、その当り面５１にディスクトレイ２０側の凸部４１の端面でなる係合面４２が衝突してディスクトレイ２０が停止する。
【００２６】
上記のように、樹脂ばね片５０を突出部４３と一体に樹脂で成形し、その樹脂ばね片５０の自由端の外面を、受面４４の代用として作用する当り面５１として形成してその手前側に間隔を隔てて位置させておくと、退出動作してきたディスクトレイ２０側の係合面４２は、当り面５１にその正面から衝突して受け止められる。そのため、突出部４３と凸部４１とでなるストッパ手段４０が小形化コンパクト化されている状況下でディスクトレイ２０が退出動作時に横触れを起こしたとしても、当り面５１や受面４２の幅広さが適切に定めておりさえすれば、両者の衝突によってディスクトレイ２０が確実に停止することになる。このことから、図７で参照して既述したように、Ｖ形をなす２つの傾斜面２２，２３の間にストッパ板１４の先端が嵌まり込まなくなったり、片側の傾斜面２２に適切に擦れ合わなくなったりして動作信頼性が低下するという事態の起こる余地がない。
【００２７】
また、当り面５１にディスクトレイ２０側の係合面４２が衝突して受け止められたときには、そのときのディスクトレイ２０に加えられる駆動力による走行作用や、ディスクトレイ２０がその駆動力から解放された後の慣性走行作用などにより、樹脂ばね片５０が、その弾性に抗して図２に実線で示したように撓み変形して衝撃を吸収し、併せて衝突音も軽減する。衝突音の軽減作用をさらに顕著に発揮させるためには、樹脂ばね片５０の自由端を幅狭にして当り面５１と係合面４２との衝突時の重なり面積を狭くしておくことが有益である。なお、図２には仮想線で樹脂ばね片５０の初期形状と、当り面５１に衝突する直前の凸部４１とを示してある。
【００２８】
この実施形態では、ディスクトレイ２０を停止させるための動作信頼性に優れているだけでなく、ディスクトレイ２０が停止するときの衝突音も軽減されて当該ディスク装置の動作性能や動作品位が向上することになる。加えて、ディスクトレイ２０が停止するときには、樹脂ばね片５０の撓み変形量の増大につれてディスクトレイ２０の退出速度が漸減して停止するに至るので、ディスクトレイ２０の退出動作の終点付近での動作品位も向上する。
【００２９】
この実施形態では、樹脂ばね片５０を突出部４３に一体に成形した事例を示したけれども、この点は、樹脂ばね片５０の一端を突出部４３が備わっているシャーシ１０に一体成形して連設しておいてもよい。また、樹脂ばね片の一端をディスクトレイ２０側の凸部４１に一体成形して連設したり、ディスクトレイ２０に一体成形して連設しておいてもよく、この構成を採用した場合には、樹脂ばね片の自由端の外面によって形成される当り面が、凸部４１の係合面４２と置き換えられて上記受面４４に受け止められるようになる。
【００３０】
なお、図１〜図７においては、説明の便宜上、同一又は相応する部分に同一符号を付してある。
【図面の簡単な説明】
【００３１】
【図１】本発明の実施形態に係るディスク装置の要部の概略斜視図である。
【図２】動作説明図である。
【図３】従来のディスク装置の概略構成を示した平面図である。
【図４】図３のＩＶ部を拡大した平面図である。
【図５】図１のディスク装置に採用されている突出部の形状を示した斜視図である。
【図６】ガイド手段の概略垂直断面図である。
【図７】特許文献１のディスク装置に採用されているストッパ手段の構成を示した斜視図である。
【符号の説明】
【００３２】
１０  シャーシ
２０  ディスクトレイ
３０  ガイド手段
４０  ストッパ手段
４１  凸部
４２  係合面
４３  突出部
４４  受面
５０  樹脂ばね片
５１  当り面
【図１】
2008210437.tif 000003
【図２】
2008210437.tif 000004
【図３】
2008210437.tif 000005
【図４】
2008210437.tif 000006
【図５】
2008210437.tif 000007
【図６】
2008210437.tif 000008
【図７】
2008210437.tif 000009